(57)【要約】【課題】操作部の占有寸法を従来よりも減少させ、制御基板の占有領域を拡大でき、使い勝手が良く、商品価値を高めること。【解決手段】本発明の加熱調理器は、熱源１１を有する調理器本体１０と、熱源１１に電力を供給する制御基板１２と、制御基板１２を冷却する冷却ファン１７と、調理器を操作する可動式の操作部１３を備え、操作部１３に回転機構（１）１５と回転機構（２）１６とを備えた構成とする。【選択図】図４
2009198127.tif 000002
【特許請求の範囲】
【請求項１】
熱源を有する調理器本体と、前記熱源に電力を供給する制御基板と、前記制御基板を冷却するファンと、前記調理器を操作する可動式の操作部とを備え、前記操作部に複数の回転機構を備えたことを特徴とする加熱調理器。
【請求項２】
熱源を有する調理器本体と、前記熱源に電力を供給する制御基板と、前記制御基板を冷却するファンと、前記調理器を操作する可動式の操作部とを備え、前記操作部に少なくとも一つの回転機構と、少なくとも一つのスライド機構を備えたことを特徴とする加熱調理器。
【請求項３】
可動式操作部の傾斜角度を可変する機構を備えたことを特徴とする請求項１または２に記載の加熱調理器。
【請求項４】
可動式操作部が脱着可能なことを特徴とする請求項１から３に記載の加熱調理器。
【請求項５】
脱着可能な可動式操作部に赤外線方式または無線方式の送信機と、調理器本体に赤外線受信機または無線受信機を備え、前記赤外線受信機または前記無線受信機にて受信した指令信号に基づいて前記調理器の制御を行うことを特徴とする請求項４に記載の加熱調理器。
【請求項６】
更に換気ファンを備え、前記換気ファンに赤外線受信機または無線受信機を備え、前記脱着可能な可動式操作部で調理器と前記換気ファンとの制御を行うことを特徴とする請求項５に記載の加熱調理器システム。
【発明の詳細な説明】
【技術分野】
【０００１】
本発明は、加熱調理器における可動式操作部の構成に関するものである。
【背景技術】
【０００２】
従来、この種の加熱調理器は、限られた空間内に制御基板を配置するために、その制御基板を多段に積み重ねて設置している（例えば、特許文献１参照）。または、制御基板上の発熱部の冷却性能を損なわずに制御基板や冷却ファンの占有領域を拡大するために、制御基板を傾斜させて配置している（例えば、特許文献２参照）。
【特許文献１】特開２００２−０３３１８４号公報
【特許文献２】特開２００５−０９３１５４号公報
【発明の開示】
【発明が解決しようとする課題】
【０００３】
しかしながら、前記従来の構成では、多段に積み重ねているため基板の全体枚数が多い。それ故、実装密度が高いために冷却効率が低下するという課題や、制御基板を傾斜させる構成としていたため部品形状が複雑で組立性が悪いという課題を有していた。
【０００４】
本発明は、前記従来の課題を解決するもので、調理器の操作性を損なうことなく可動式操作部に複数の可動機構を搭載する構成とすることで、操作部の占有寸法を従来よりも減少させ、制御基板の占有領域を拡大でき、使い勝手の良い、商品価値の高い加熱調理器を提供することを目的とする。
【課題を解決するための手段】
【０００５】
前記従来の課題を解決するために、本発明の加熱調理器は、熱源を有する調理器本体と、前記熱源に電力を供給する制御基板と、前記制御基板を冷却するファンと、前記調理器を操作する可動式の操作部を備え、前記操作部に複数の回転機構を備えた構成とする。
【０００６】
これによって、調理器の操作性を損なうことなく可動式操作部に複数の可動機構を搭載する構成とすることで、操作部の占有寸法を従来よりも減少させ、制御基板や冷却ファンの占有領域を拡大でき、使い勝手の良い、商品価値の高い加熱調理器となる。
【発明の効果】
【０００７】
本発明の加熱調理器は、操作性を損なうことなく制御基板や冷却ファンの占有領域を拡大でき、制御基板上の部品の実装密度を低くすることができる。また、冷却ファンの占有領域を広げることで、吸気排気経路が広く設けられる。それによって、吸排気経路の圧力損失が低減でき、冷却風を円滑に送風できる。このことにより冷却効率を高めることができる。更に基板の枚数を減少でき、組立性が良くなる。使い勝手の良い、内部部品の冷却効率が高く、耐久性に富み、組立性、生産性の良い商品価値の高い加熱調理器とすることができる。
【発明を実施するための最良の形態】
【０００８】
第１の発明は、熱源を有する調理器本体と、前記熱源に電力を供給する制御基板と、前記制御基板を冷却するファンと、前記調理器を操作する可動式の操作部を備え、前記操作部に複数の回転機構を備えた構成とする。これにより、操作性を損なうことなく制御基板や冷却ファンの占有領域を拡大でき、制御基板上の部品の実装密度を低くすることができる。また、冷却ファンの占有領域を広げることで、吸気排気経路が広く設けられる．それによって、吸排気経路の圧力損失が低減でき、冷却風を円滑に送風できる。このことによ
り冷却効率を高めることができる。更に基板の枚数を減少でき、組立性が良くなる。使い勝手の良い、内部部品の冷却効率が高く、耐久性に富み、組立性、生産性の良い商品価値の高い加熱調理器とすることができる。
【０００９】
第２の発明は、熱源を有する調理器本体と、前記熱源に電力を供給する制御基板と、前記制御基板を冷却するファンと、前記調理器を操作する可動式の操作部を備え、前記操作部に少なくとも一つの回転機構と、少なくとも一つのスライド機構を備えた構成とする。これにより、操作性を損なうことなく制御基板や冷却ファンの占有領域を拡大でき、制御基板上の部品の実装密度を低くすることができる。また、冷却ファンの占有領域を広げることで、吸気排気経路が広く設けられる．それによって、吸排気経路の圧力損失が低減でき、冷却風を円滑に送風できる。このことにより冷却効率を高めることができる。更に基板の枚数を減少でき、組立性が良くなる。使い勝手の良い、内部部品の冷却効率が高く、耐久性に富み、組立性、生産性の良い商品価値の高い加熱調理器とすることができる。
【００１０】
第３の発明は、更に可動式操作部の傾斜角度を可変する機構を備えた構成とすることで、体型体格の異なる使用者ごとに機器の操作部の表示および操作押しボタンの角度が設定可能となる。機器の操作性・視認性を高めることが更に可能となり、使い勝手の良い加熱調理器となる。
【００１１】
第４の発明は、可動式操作部が脱着可能な構成とすることにより、任意の位置に操作部の移動が可能となり機器の操作性・視認性を高めることができる。このことにより、使い勝手の良い加熱調理器となる。
【００１２】
第５の発明は、脱着可能な可動式操作部に赤外線方式または無線方式の送信機と、前記調理器本体に赤外線受信機または無線受信機を備え、前記赤外線受信機または無線受信機にて受信した指令信号に基づいて調理器の制御を行う構成とすることにより、操作部と調理器本体を有線で接続することなく、無線で調理器の操作がおこなえる。このことにより、有線によって規制される操作部の位置の自由度を高めることが可能となり、より使い勝手の良い加熱調理器となる。
【００１３】
第６の発明は、更に換気ファンを備え、前記換気ファンに赤外線受信機または無線受信機を備え、前記脱着可能な可動式操作部で前記調理器と前記換気ファンとの制御を行う構成とすることで、調理器の操作と調理に必要な換気ファンの操作を同時に同じ操作部で行うことができるため、更に操作性を向上でき、より使い勝手の良い加熱調理器となる。
【００１４】
（実施の形態１）
図１、２、３、４は本発明の第１の実施の形態における加熱調理器の詳細図を示すものである。熱源１１を有する調理器本体１０と、熱源１１に電力を供給する制御基板１２と、制御基板１２を冷却するファン１７と、調理器１０を操作する可動式の操作部１３を備え、操作部１３に複数の回転機構１５および１６を備えた構成とする。以上のように構成された加熱調理器について、以下その作用を説明する。
【００１５】
可動式操作部１３を収納する際回転機構１５を、図４の図中で時計回りに回転し操作部１３全体を調理器内に収納する。それに加えて操作部１３の押しボタンや表示部が備えられている上面部分だけを回転機構１６を図中で時計回りに回転させ収納する。回転機構１５のみを回転させて操作部を収納するときの操作部１３が占有する寸法を占有寸法（ａ）とする。また、回転機構１５と回転機構１６を同時に回転させ操作部１３を収納したときの操作部１３が占有する寸法を占有寸法（ｂ）とする。このような構成とすることにより、占有寸法（ｂ）を占有寸法（ａ）と比較し小さくすることができる。操作部１３、制御基板１２、冷却ファン１７を収納する調理器本体１０の寸法はキッチン等の標準寸法に規
制されており限界がある。限られた収納寸法の中で操作部１３の占有寸法を小さくすることにより、制御基板１２、冷却ファン１７の占有寸法を大きくすることができる。占有寸法が大きくなることで制御基板１２を拡大し、制御基板１２上に実装されている発熱部品の密度を下げることができ、効率よく冷却することが可能となる。さらに、冷却ファン１７の占有寸法を拡大することにより吸気排気経路が広く設けることが可能となり、吸排気経路の圧力損失が低減でき、冷却風を円滑に送風できる。このことにより冷却効率を高めることができる。回転機構１５、および１６に回転軸を用いても電動機や歯車を用いて操作部を回転させる機構としても良い。更に、操作部の回転動作を補助する目的でバネやダンパーを用いる構成としても良い。本発明はキッチンに組み込むビルトインタイプの加熱調理器のみならず、台上に設置する据え置きタイプの加熱調理器において前記のような構成としても同様の効果が得られる。
【００１６】
これにより、使い勝手の良い、内部部品の冷却効率が高く、耐久性に富み、組立性、生産性の良い商品価値の高い加熱調理器とすることができる。
【００１７】
（実施の形態２）
図５は、本発明の第２の実施の形態における加熱調理器の詳細図を示すものである。基本的な構成は実施の形態１と同様であるため、構成の違うところのみを説明する。
【００１８】
熱源１１を有する調理器本体１０と、熱源１１に電力を供給する制御基板１２と、制御基板１２を冷却するファン１７と、調理器１０を操作する可動式の操作部１３を備え、操作部１３に少なくとも一つの回転機構１６と、少なくとも一つのスライド機構１８とを備えた構成とする。以上のように構成された加熱調理器について、以下その作用を説明する。
【００１９】
可動式操作部１３を収納する際、スライド機構１８を前後に摺動させることで操作部１３全体を調理器内に収納する。それに加えて操作部１３の押しボタンや表示部が備えられている上面部分だけを回転機構１５を図中で時計回りに回転させ収納する。スライド機構１８のみを摺動させて操作部を収納するときの操作部１３が占有する寸法を占有寸法（ａ）とする。また、回転機構１５とスライド機構１８を同時に動作させ操作部１３を収納したときの操作部１３が占有する寸法を占有寸法（ｂ）とする。このような構成とすることにより、占有寸法（ｂ）を占有寸法（ａ）と比較し小さくすることができる。操作部１３、制御基板１２、冷却ファン１７を収納する調理器本体１０の寸法はキッチン等の標準寸法に規制されており限界がある。限られた収納寸法の中で操作部１３の占有寸法を小さくすることにより、制御基板１２、冷却ファン１７の占有寸法を大きくすることができる。占有寸法が大きくなることで制御基板１２を拡大し、制御基板１２上に実装されている発熱部品の密度を下げることができ、効率よく冷却することが可能となる。さらに、冷却ファン１７の占有寸法を拡大することにより吸気排気経路が広く設けることが可能となり、吸排気経路の圧力損失が低減でき、冷却風を円滑に送風できる。このことにより冷却効率を高めることができる。回転機構１５、および１６に回転軸を用いても電動機や歯車を用いて操作部を回転させる機構としても良い。更に、操作部の回転動作やスライド機構を補助する目的でバネやダンパーを用いる構成としても良い。本発明はキッチンに組み込むビルトインタイプの加熱調理器のみならず、台上に設置する据え置きタイプの加熱調理器において前記のような構成としても同様の効果が得られる。
【００２０】
これにより、使い勝手の良い、内部部品の冷却効率が高く、耐久性に富み、組立性、生産性の良い商品価値の高い加熱調理器とすることができる。
【００２１】
（実施の形態３）
図６、７は本発明の第３の実施の形態における加熱調理器の詳細図を示すものである。
基本的な構成は実施の形態１および２と同様であるため、構成の違うところのみを説明する。
【００２２】
図６、７に示すように、可動式操作部１３の傾斜角度を可変する機構を備えた構成とする。以上のように構成された加熱調理器について、以下その作用を説明する。
【００２３】
このような構成とすることで、調理器本体１０の使用者が操作しやすい角度に任意に調節することが可能となる。回転機構１５、および１６には回転軸を用いても電動機や歯車を用いて操作部を回転させる機構としても良い。更に、操作部の回転動作やスライド機構を補助する目的でバネやダンパーを用いる構成としても良い。あらかじめ設定された複数の角度、例えば３０度、５０度という所定の複数の角度、に回転機構１５、および１６を調整できる構成としても良い。回転機構１５、１６を利用して操作部の角度を可変する構成としても良いし、別に設けられた、電動機、歯車、バネを用いた回転機構で操作部上面の角度を補正する構成としても良い。本発明はキッチンに組み込むビルトインタイプの加熱調理器のみならず、台上に設置する据え置きタイプの加熱調理器において前記のような構成としても同様の効果が得られる。
【００２４】
これにより、使い勝手の良い、商品価値の高い加熱調理器とすることができる。
【００２５】
（実施の形態４）
図８、９は本発明の第４の実施の形態における加熱調理器の詳細図を示すものである。基本的な構成は実施の形態３と同様であるため、構成の違うところのみを説明する。
【００２６】
図８、９に示すように、可動式操作部１３がリード線で接続され調理器本体に脱着可能な構成とする。以上のように構成された加熱調理器について、以下その作用を説明する。
【００２７】
任意の位置に操作部１３の移動が可能となり機器の操作性・操作部に設けられた表示部や押しボタンの視認性を高めることができる。このことにより、使い勝手の良い加熱調理器となる。
【００２８】
本発明はキッチンに組み込むビルトインタイプの加熱調理器のみならず、台上に設置する据え置きタイプの加熱調理器において前記のような構成としても同様の効果が得られる。
【００２９】
これにより、使い勝手の良い、商品価値の高い加熱調理器とすることができる。
【００３０】
（実施の形態５）
図１０、１１は本発明の第５の実施の形態における加熱調理器の詳細図を示すものである。基本的な構成は実施の形態４と同様であるため、構成の違うところのみを説明する。
【００３１】
脱着可能な可動式操作部１３に赤外線方式または無線方式の送信機１９と、調理器本体１０に赤外線受信機２０または無線受信機２０を備え、赤外線受信機２０または無線受信機２０にて受信した指令信号に基づいて調理器１０の制御を行う構成とする。以上のように構成された加熱調理器について、以下その作用を説明する。
【００３２】
操作部１３と調理器本体１０を有線で接続することなく、無線で調理器１０の操作がおこなえる。このことにより、有線によって規制される操作部１３の位置の自由度を高めることが可能となり、より使い勝手の良い加熱調理器となる。
【００３３】
（実施の形態６）
図１２は本発明の第６の実施の形態における加熱調理調理器および加熱調理システムの詳細図を示すものである。基本的な構成は実施の形態５と同様であるため、構成の違うところのみを説明する。
【００３４】
図１２に示すように、更に換気ファン２１を備え、換気ファン２１に赤外線受信機２０または無線受信機２０を備え、脱着可能な可動式操作部１３で調理器１０と換気ファン２１との制御を行う構成とする。
【００３５】
以上のように構成された加熱調理器について、以下その作用を説明する。調理器の操作と調理に必要な換気ファンの操作を同時に同じ操作部で行うことができるため、更に操作性を向上でき、より使い勝手の良い加熱調理器となる。
【産業上の利用可能性】
【００３６】
以上のように、本発明にかかる加熱調理器は、操作性を損なうことなく制御基板や冷却ファンの占有領域を拡大でき、制御基板上の部品の実装密度を低くすることができる。また、冷却ファンの占有領域を広げ吸気排気経路が広く設けることで、吸排気経路の圧力損失が低減でき、冷却風を円滑に送風できる。このことにより冷却効率を高めることができる。更に基板の枚数を減少でき、組立性が良くなる。更に操作性を向上させることができる。このことにより使い勝手の良い、内部部品の冷却効率が高く、耐久性に富み、組立性、生産性の良い商品価値の高い加熱調理器とすることができる。よって、他の同じような加熱調理機器等の用途にも適用できる。
【図面の簡単な説明】
【００３７】
【図１】本発明の実施の形態１における加熱調理器の斜視図
【図２】本発明の実施の形態１における加熱調理器の斜視図
【図３】本発明の実施の形態１における加熱調理器の詳細図
【図４】本発明の実施の形態１における操作部の詳細図
【図５】本発明の実施の形態２における操作部の詳細図
【図６】本発明の実施の形態３における操作部の詳細図
【図７】本発明の実施の形態３における操作部の詳細図
【図８】本発明の実施の形態４における操作部の詳細図
【図９】本発明の実施の形態４における操作部の詳細図
【図１０】本発明の実施の形態５における操作部の詳細図
【図１１】本発明の実施の形態５における操作部の詳細図
【図１２】本発明の実施の形態６における操作部の詳細図
【符号の説明】
【００３８】
１０  調理器本体
１１  熱源
１２  制御基板
１３  操作部
１４  キャビネット
１５  回転機構（１）
１６  回転機構（２）
１７  冷却ファン
１８  スライド機構
１９  送信機
２０  受信機
【図１】
2009198127.tif 000003
【図２】
2009198127.tif 000004
【図３】
2009198127.tif 000005
【図４】
2009198127.tif 000006
【図５】
2009198127.tif 000007
【図６】
2009198127.tif 000008
【図７】
2009198127.tif 000009
【図８】
2009198127.tif 000010
【図９】
2009198127.tif 000011
【図１０】
2009198127.tif 000012
【図１１】
2009198127.tif 000013
【図１２】
2009198127.tif 000014